(57)【要約】【課題】収納スペースおよび配管スペースの確保ができるとともに、効率良く換気行うことができ、快適な居住環境を形成することが可能な建物を提供することを目的とする。【解決手段】第１上階床２と下階床１との間に第１居住領域１０が設けられるとともに、第１上階床２と第２上階床３との間に収納領域５０が設けられ、さらに第２上階床３と下階床１との間に前記第１居住領域１０および収納領域５０に隣接する第２居住領域２０が設けられており、収納領域５０に隣接するようにして第１上階床２上に第３居住領域３０が設けられ、この第３居住領域３０に隣接するようにして第２上階床３上に第４居住領域４０が設けられており、収納領域５０には換気装置６０が収納設置されるとともに、各居住領域１０，２０，３０，４０に面して、それぞれ換気孔６１が設けられていることを特徴とする建物Ａ。【選択図】図１
2008075279.tif 000002
【特許請求の範囲】
【請求項１】
下階床の一部の上方に第１上階床が設けられるとともに、この第１上階床の一部の上方および前記下階床の上方に第２上階床が設けられており、
前記第１上階床と下階床との間に第１居住領域が設けられるとともに、第１上階床と第２上階床との間に収納領域が設けられ、さらに第２上階床と下階床との間に前記第１居住領域および収納領域に隣接する第２居住領域が設けられており、
前記収納領域に隣接するようにして前記第１上階床上に第３居住領域が設けられ、この第３居住領域に隣接するようにして前記第２上階床上に第４居住領域が設けられており、
前記収納領域には、建物内の空気を換気するための換気装置が収納設置されているとともに、前記第１居住領域および第２居住領域、第３居住領域、第４居住領域に面して、それぞれ換気孔が設けられていることを特徴とする建物。
【請求項２】
請求項１に記載の建物において、
前記収納領域は、建物の対向する外壁間に配置され、これら対向する外壁間には、対向する外壁間の距離の半分以上の長さを有する収納室が設けられていることを特徴とする建物。
【請求項３】
請求項２に記載の建物において、
前記収納室を形成する壁は、前記対向する外壁のうち、少なくとも一方の外壁を含んでおり、この収納室を形成する壁には、外気を取り入れるための吸気孔が設けられるとともに、建物内の空気を排出するための排気孔が設けられていることを特徴とする建物。
【請求項４】
請求項３に記載の建物において、
前記換気装置は、換気装置本体と、この換気装置本体と前記吸気孔とを接続する吸気ダクトと、前記換気装置本体と前記排気孔とを接続する排気ダクトと、前記換気装置本体と前記換気孔とを接続する換気ダクトとを備えていることを特徴とする建物。
【請求項５】
請求項２〜４のいずれか一項に記載の建物において、
前記収納室には、建物内の空気を調和するための空気調和機が設置されていることを特徴とする建物。
【発明の詳細な説明】
【技術分野】
【０００１】
本発明は、複数の居住領域を換気する換気装置を備えた建物に関する。
【背景技術】
【０００２】
住宅の建物内に設置されるセントラル換気装置の一例として、特許文献１に記載の技術が知られている。
このセントラル換気装置は、上下に複数のフロアを有する建物における屋内を換気可能なものであり、屋内と屋外との間を連通する配管と、この配管の内部における強制的な空気の流れを形成する換気ユニット本体とを備え、この換気ユニット本体及び配管が、建物の各フロア毎に独立して形成されているものである。
換気ユニット本体は、各フロアの天井の裏側に設けられ、前記換気ユニット本体により供給される空気を屋内へ吹き出す吹き出し口が天井面に複数設けられ、前記換気ユニット本体に屋内の空気を吸い込ませる吸入口が一フロア全体で一箇所設けられている。
【特許文献１】特開平１０−１１０９９２号公報
【発明の開示】
【発明が解決しようとする課題】
【０００３】
ところで、上記のようなセントラル換気装置の換気ユニット本体は、通常天井裏に設置されている。一方、近年、より大きな収納スペースを確保するために、天井裏の天井懐部分を利用して上階と下階との間に収納室を設けた住宅が提供されており、このような住宅に、上記のようなセントラル換気装置を設置したいという要望があった。
ところが、上階と下階の間に収納室を設けた分、換気ユニット本体を設置するための天井裏のスペースを確保できなかったり、換気装置を設置する分、収納スペースの広い収納室を確保できなかったり等の問題があった。そこで、このような問題を解決し得る技術の開発が望まれていた。
【０００４】
また、天井裏のスペースに換気ユニット本体をなんとか設置できても、換気ユニット本体から延出する吸気や排気用のダクトのためのスペースが狭くなって、配管が非常に困難となる場合があるため、このような問題も併せて解決が望まれていた。
【０００５】
本発明の課題は、収納スペースおよび配管スペースの確保ができるとともに、効率良く換気行うことができ、快適な居住環境を形成することが可能な建物を提供することを目的とする。
【課題を解決するための手段】
【０００６】
請求項１に記載の発明は、例えば図１〜図３に示すように、下階床１の一部の上方に第１上階床２が設けられるとともに、この第１上階床２の一部の上方および前記下階床１の上方に第２上階床３が設けられており、
前記第１上階床２と下階床１との間に第１居住領域１０が設けられるとともに、第１上階床２と第２上階床３との間に収納領域５０が設けられ、さらに第２上階床３と下階床１との間に前記第１居住領域１０および収納領域５０に隣接する第２居住領域２０が設けられており、
前記収納領域５０に隣接するようにして前記第１上階床２上に第３居住領域３０が設けられ、この第３居住領域３０に隣接するようにして前記第２上階床３上に第４居住領域４０が設けられており、
前記収納領域５０には、建物Ａ内の空気を換気するための換気装置６０が収納設置されているとともに、前記第１居住領域１０および第２居住領域２０、第３居住領域３０、第４居住領域４０に面して、それぞれ換気孔６１が設けられていることを特徴とする。
【０００７】
請求項１に記載の発明によれば、前記第２居住領域２０が前記第１居住領域１０よりも天井高の高い部屋になっているとともに、前記第３居住領域３０が設けられる第１上階床２が、前記第４居住領域４０が設けられる第２上階床３よりも低い床レベルになっているので、前記第２居住領域２０の天井部付近と前記第３居住領域３０の床付近との間に設けられる前記収納領域５０を、比較的大きい収納スペースとして利用することができる。
そして、このような比較的大きな収納スペースを有する収納領域５０に、前記換気装置６０を収納設置したとしても、この換気装置６０によって収納スペースを極端に狭めることはないので、比較的大きい収納スペースおよび換気装置６０の設置スペースの双方を確保できる。
さらに、前記収納領域５０には、前記第１居住領域１０および第２居住領域２０、第３居住領域３０、第４居住領域４０に面して、それぞれ換気孔６１が設けられているので、前記換気装置６０によって建物Ａ内の換気を行う際において効率良く換気を行うことができる。これによって、快適な居住環境を形成することが可能となる。
【０００８】
また、建物Ａの上階と下階とのほぼ中間に位置する前記第１上階床２上に比較的大きい収納スペースが設けられることによって、下階や屋外で使用する物品も、上階で使用する物品も収納しやすくなるので、建物Ａの収納性能を向上することが可能となる。さらに、同じ床レベルに前記収納領域５０と第３居住領域３０とが設けられているので、前記第３居住領域３０からの物品の搬入および搬出がし易い。
【０００９】
請求項２に記載の発明は、例えば図１〜図３に示すように、請求項１に記載の建物Ａにおいて、
前記収納領域５０は、建物Ａの対向する外壁５，６間に配置され、これら対向する外壁５，６間には、対向する外壁５，６間の距離の半分以上の長さを有する収納室５１が設けられていることを特徴とする。
【００１０】
請求項２に記載の発明によれば、前記収納室５１は、前記対向する外壁５，６間の距離の半分以上の長さを有しているので、少なくとも収納領域５０の大きさの半分以上を占める大きさを備えた収納スペースとなる。
また、前記収納室５１が前記収納領域５０全体を占有しない大きさであった場合、前記収納領域５０内において前記収納室５１と隣接するスペースを多目的スペースとして利用することができる。
さらに、このように前記収納室５１が収納領域５０の半分以上の大きさを備えているので、例えば前記収納領域５０に隣接する各居住領域１０，２０，３０，４０のいずれかを、前記収納領域５０の長さ方向と直交する方向に沿って半分に区画し、複数の部屋を設けた場合であっても、前記収納室５１を複数の部屋のそれぞれに隣接させることができる。これによって、前記換気装置６０によって複数の部屋を確実に換気することができる。
【００１１】
請求項３に記載の発明は、例えば図１および図４に示すように、請求項２に記載の建物Ａにおいて、
前記収納室５１を形成する壁は、前記対向する外壁５，６のうち、少なくとも一方の外壁５（６）を含んでおり、この収納室５１を形成する壁には、外気を取り入れるための吸気孔５２が設けられるとともに、建物Ａ内の空気を排出するための排気孔５３が設けられていることを特徴とする。
【００１２】
請求項３に記載の発明によれば、前記収納室５１を形成する壁が、前記対向する外壁５，６のうち、少なくとも一方の外壁５（６）を含んでいるので、前記収納室５１を屋外に面した外壁５（６）を備えることとなる。そして、この屋外に面した外壁５（６）に、前記吸気孔５２および排気孔５３が設けられているので、前記換気装置６０によって建物Ａ内の換気を行う際において前記吸気孔５２から外気を確実に取り込むことができるとともに、建物Ａ内の空気を前記排気孔５３から確実に排出することができ、効率良く換気を行うことができる。これによって、より快適な居住環境を形成することが可能となる。
【００１３】
請求項４に記載の発明は、例えば図２〜図４に示すように、請求項３に記載の建物Ａにおいて、
前記換気装置６０は、換気装置本体６２と、この換気装置本体６２と前記吸気孔５２とを接続する吸気ダクト６３と、前記換気装置本体６２と前記排気孔５３とを接続する排気ダクト６４と、前記換気装置本体６２と前記換気孔６１とを接続する換気ダクト６５とを備えていることを特徴とする。
【００１４】
請求項４に記載の発明によれば、前記吸気ダクト６３によって前記換気装置本体６２と吸気孔５２とを接続することができるので、建物Ａ内の換気を行う際において前記吸気孔５２から外気を、より確実に取り込むことができる。
また、前記排気ダクト６４によって前記換気装置本体６２と排気孔５３とを接続することができるので、建物Ａ内の空気を前記排気孔５３から、より確実に排出することができる。
さらに、前記換気ダクト６５によって前記換気装置本体６２と換気孔６１とを接続することができるので、外気と建物Ａ内の空気とを確実に流通させることができる。
そして、前記換気ダクト６５は、前記各居住領域１０，２０，３０，４０に面して設けられた換気孔６１に接続された状態となっているので、換気ダクト６５の配管長さを短くすることができる。これによって、配管作業を容易に行うことができるとともに、配管のためのスペースを減縮することができ、さらに快適な居住環境を形成することが可能となる。
【００１５】
請求項５に記載の発明は、例えば図２に示すように、請求項２〜４のいずれか一項に記載の建物Ａにおいて、
前記収納室５１には、建物Ａ内の空気を調和するための空気調和機７０が設置されていることを特徴とする。
【００１６】
請求項５に記載の発明によれば、前記収納室５１に前記空気調和機７０が設置されているので、例えば温度調整や湿度調整、空気清浄作用等によって建物Ａ内の空気を調和することができ、より一層快適な居住環境を形成することが可能となる。
【発明の効果】
【００１７】
本発明によれば、第２居住領域が第１居住領域よりも天井高の高い部屋になっているとともに、第３居住領域が設けられる第１上階床が、第４居住領域が設けられる第２上階床よりも低い床レベルになっているので、前記第２居住領域の天井部付近と前記第３居住領域の床付近との間に設けられる収納領域を、比較的大きい収納スペースとして利用することができる。
そして、このような比較的大きな収納スペースを有する収納領域に、換気装置を収納設置したとしても、この換気装置によって収納スペースを極端に狭めることはないので、比較的大きい収納スペースおよび換気装置の設置スペースの双方を確保できる。
さらに、前記収納領域には、前記第１居住領域および第２居住領域、第３居住領域、第４居住領域に面して、それぞれ換気孔が設けられているので、前記換気装置によって建物内の換気を行う際において効率良く換気を行うことができる。
これによって、収納スペースおよび配管スペースの確保ができるとともに、効率良く換気行うことができ、快適な居住環境を形成することが可能となる。
【発明を実施するための最良の形態】
【００１８】
以下、図面を参照して本発明の実施の形態について説明する。
【００１９】
本実施の形態の建物Ａは、図１〜図３に示すように、下階床１の一部の上方に第１上階床２が設けられるとともに、この第１上階床２の一部の上方および前記下階床１の上方に第２上階床３が設けられており、
前記第１上階床２と下階床１との間に第１居住領域１０が設けられるとともに、第１上階床２と第２上階床３との間に収納領域５０が設けられ、さらに第２上階床３と下階床１との間に前記第１居住領域１０および収納領域５０に隣接する第２居住領域２０が設けられており、
前記収納領域５０に隣接するようにして前記第１上階床２上に第３居住領域３０が設けられ、この第３居住領域３０に隣接するようにして前記第２上階床３上に第４居住領域４０が設けられており、
前記収納領域５０には、建物Ａ内の空気を換気するための換気装置６０が収納設置されているとともに、前記第１居住領域１０および第２居住領域２０、第３居住領域３０、第４居住領域４０に面して、それぞれ換気孔６１が設けられている。
【００２０】
ここで、本実施の形態の建物Ａは、下階床１上に前記第１居住領域１０および第２居住領域２０が設けられるとともに、第１上階床２上に前記第３居住領域３０が設けられ、さらに前記第２上階床３上に前記第４居住領域４０が設けられた２階建ての建物Ａとなっている。また、前記第３居住領域３０および第４居住領域４０の上方には屋根４が設置されるとともに、この屋根４と前記第４居住領域４０との間に小屋裏収納部４ａが設けられている。
また、前記第１居住領域１０および第２居住領域２０、第３居住領域３０、第４居住領域４０、収納領域５０は、図１および図３（ａ），（ｂ）に示すように、建物Ａの対向する外壁５，６間に配置されている。
【００２１】
前記第１居住領域１０は、図３（ａ）に示すように、前記収納領域５０の長さ方向と直交する方向に沿って区画されており、一方の部屋１１には、前記第１上階床２上の第３居住領域３０に上がるための第１階段１１ａ等が設けられ、他方の部屋１２には、玄関１２ａ等が設けられている。
【００２２】
前記第２居住領域２０は、図１および図３（ａ）に示すように、前記第１居住領域１０に隣接して設けられており、この第１居住領域１０よりも天井高の高い居住領域となっている。本実施の形態の第２居住領域２０は、例えばリビング・ダイニングやキッチン等の共用スペースとなっている。
【００２３】
前記第３居住領域３０は、図１および図３（ｂ）に示すように、前記第１居住領域１０の上方に設けられ、前記屋根４の近傍に達するように天井高の高い居住領域となっており、例えば子どもの遊戯スペース等として使用される。本実施の形態の第３居住領域３０には、前記第１階段１１ａと、前記第２上階床３に上がるための第２階段３１が設けられている。
【００２４】
前記第４居住領域４０は、図３（ｂ）に示すように、前記収納領域５０の長さ方向と直交する方向に沿って半分に区画されており、複数の部屋４１，４２が設けられている。
また、これら複数の部屋４１，４２どうしを行き来可能とする通路４３が、前記第２階段３１の最上部に連続して設けられている。また、この第４居住領域４０は、下方に前記第２居住領域２０が設けられており、前記第３居住領域３０よりも床レベルが高くなっている。
【００２５】
前記収納領域５０は、前記第１上階床２と第２上階床３との間に設けられており、前記第２居住領域２０および第３居住領域３０に隣接して設けられている。また、この収納領域５０は、前記第１上階床２および第２上階床３を介して、前記第１居住領域１０および第４居住領域４０に隣接した状態となっている。
【００２６】
すなわち、このように前記第２居住領域２０の天井部付近と前記第３居住領域３０の床付近との間に設けられる前記収納領域５０を、比較的大きい収納スペースとして利用することができる。また、建物Ａの上階と下階とのほぼ中間に位置する前記第１上階床２上に比較的大きい収納スペースが設けられることによって、下階や屋外で使用する物品も、上階で使用する物品も収納しやすくなるので、建物Ａの収納性能を向上することが可能となる。さらに、同じ床レベルに前記収納領域５０と第３居住領域３０とが設けられているので、前記第３居住領域３０からの物品の搬入および搬出がし易い。
【００２７】
また、前記収納領域５０は、図１〜図３に示すように、前記対向する外壁５，６間に配置され、これら対向する外壁５，６間には、対向する外壁５，６間の距離の半分以上の長さを有する収納室５１が設けられている。
また、前記収納室５１を形成する壁は、前記対向する外壁５，６のうち、少なくとも一方の外壁５（６）を含んでおり、この収納室５１を形成する壁には、図４に示すように、外気を取り入れるための吸気孔５２が設けられるとともに、建物Ａ内の空気を排出するための排気孔５３が設けられている。
【００２８】
なお、本実施の形態の場合、前記収納室５１は、前記対向する外壁５，６間の距離と同一長さを有しており、建物Ａに対して、大きな収納スペースを備えた状態となっている。
【００２９】
このような収納室５１は、前記対向する外壁５，６間の距離の半分以上の長さを有しているので、少なくとも収納領域５０の大きさの半分以上を占める大きさを備えた収納スペースとなる。
このように前記収納室５１が収納領域５０の半分以上の大きさを備えているので、上述のように前記収納領域５０に隣接する第４居住領域４０を、前記収納領域５０の長さ方向と直交する方向に沿って半分に区画し、複数の部屋４１，４２を設けた場合であっても、前記収納室５１を複数の部屋４１，４２のそれぞれに隣接させることができる。
【００３０】
また、前記収納室５１を形成する壁が、前記対向する外壁５，６のうち、少なくとも一方の外壁５（６）を含んでいるので、前記収納室５１を屋外に面した外壁５（６）を備えることとなる。
そして、この屋外に面した外壁５（６）に、前記吸気孔５２および排気孔５３が設けられているので、前記換気装置６０によって建物Ａ内の換気を行う際において前記吸気孔５２から外気を確実に取り込むことができるとともに、建物Ａ内の空気を前記排気孔５３から確実に排出することができ、効率良く換気を行うことができる。
【００３１】
なお、前記収納室５１が前記収納領域５０全体を占有しない大きさであった場合は、前記収納領域５０内において前記収納室５１と隣接するスペースを多目的スペースとして利用することができるようになっており、例えば前記第２階段３１を設けたり、上下階を連通する吹き抜け（図示せず）を設けて建物Ａの通気性を向上させるなど、様々なことに利用することができる。
また、前記収納室５１には、図３（ｂ）に示すように、この収納室５１と前記第３居住領域３０とを行き来するための扉３２が設けられている。
【００３２】
一方、前記換気装置６０は、図２および図４に示すように、吸気および排気機能を有する換気装置本体６２と、この換気装置本体６２と前記吸気孔５２とを接続する吸気ダクト６３と、前記換気装置本体６２と前記排気孔５３とを接続する排気ダクト６４と、前記換気装置本体６２と前記換気孔６１とを接続する換気ダクト６５とを備えている。
【００３３】
前記換気装置本体６２は、前記収納室５１を形成する壁の近傍に設置して収納室５１内の収納スペースの有効利用を図るようにする。また、このように換気装置本体６２を前記収納室５１を形成する壁の近傍に設置することによって、前記吸気ダクト６３および排気ダクト６４の配管長さを短くすることができる。
【００３４】
前記換気ダクト６５は、図２に示すように、前記換気装置本体６２に接続する主換気ダクト６５ａと、この主換気ダクト６５ａから枝分かれ状に設けられる複数の換気ダクト６５ｂ，６５ｃ，６５ｄ，６５ｅ，６５ｆとからなり、これら複数の換気ダクト６５ｂ，６５ｃ，６５ｄ，６５ｅ，６５ｆは、前記第１居住領域１０に向かって枝分かれする第１換気ダクト６５ｂと、第２居住領域２０に向かって枝分かれする第２換気ダクト６５ｃと、前記第３居住領域３０に向かって枝分かれする第３換気ダクト６５ｄと、前記第４居住領域４０に向かって枝分かれする第４換気ダクト６５ｅと、前記小屋裏収納部４ａに向かって枝分かれする小屋裏用換気ダクト６５ｆとを備えている。
【００３５】
また、前記第１居住領域１０や第４居住領域４０のように、これら各居住領域１０，４０を複数に区画した場合は、前記各換気ダクト６５ａ，６５ｂ，６５ｃ，６５ｄ，６５ｅ，６５ｆを、さらに枝分かれ状にすることによって、前記複数の部屋１１，１２，４１，４２を確実に換気することができるようになっている。
なお、前記吸気孔５２および排気孔５３、換気孔６１にはフィルター（図示せず）が設けられており、粉塵等が前記換気装置本体６２に入りこむことを防ぐことができる。
【００３６】
そして、以上のように前記吸気ダクト６３によって前記換気装置本体６２と吸気孔５２とを接続することができるので、建物Ａ内の換気を行う際において前記吸気孔５２から外気を、より確実に取り込むことができ、前記排気ダクト６４によって前記換気装置本体６２と排気孔５３とを接続することができるので、建物Ａ内の空気を前記排気孔５３から、より確実に排出することができる。
さらに、前記換気ダクト６５（６５ｂ，６５ｃ，６５ｄ，６５ｅ，６５ｆ）によって前記換気装置本体６２と換気孔６１とを接続することができるので、外気と建物Ａ内の空気とを確実に流通させることができる。
そして、前記換気ダクト６５（６５ｂ，６５ｃ，６５ｄ，６５ｅ，６５ｆ）は、前記各居住領域１０，２０，３０，４０に面して設けられた換気孔６１に接続された状態となっているので、換気ダクト６５（６５ｂ，６５ｃ，６５ｄ，６５ｅ，６５ｆ）の配管長さを短くすることができる。これによって、配管作業を容易に行うことができるとともに、配管のためのスペースを減縮することができる。
【００３７】
一方、前記換気装置本体６２には、図示しない吸気部が設けられ、さらに、前記収納室５１には、前記第１居住領域１０および第２居住領域２０、第３居住領域３０、第４居住領域４０のうち、少なくとも一方の居住領域に面して吸込口が設けられており、これにより前記各換気ダクト６５（６５ａ，６５ｂ，６５ｃ，６５ｄ，６５ｅ，６５ｆ）を供給専用として各居住領域１０，２０，３０，４０に外気を供給して、前記吸気部によって各居住領域１０，２０，３０，４０内の空気を吸込むことができる。
なお、本実施の形態においては、前記第２居住領域２０および第３居住領域３０に面した壁に前記吸込口２１，３３が設けられており、これら吸込口２１，３３は、複数の羽板２１ａ，３３ａを有しており、通気性に優れる。
【００３８】
そして、前記収納室５１には、建物Ａ内の空気を調和するための空気調和機７０が設置されている。すなわち、このように収納室５１に空気調和機７０を設置することによって、例えば、温度調整や湿度調整、空気清浄作用等によって建物Ａ内の空気を調和することができる。
なお、本実施の形態においては、この空気調和機７０と、前記換気装置６０とが一体化されたものを使用している。
【００３９】
本実施の形態によれば、前記第２居住領域２０が前記第１居住領域１０よりも天井高の高い部屋になっているとともに、前記第３居住領域３０が設けられる第１上階床２が、前記第４居住領域４０が設けられる第２上階床３よりも低い床レベルになっているので、前記第２居住領域２０の天井部付近と前記第３居住領域３０の床付近との間に設けられる収納領域５０を、比較的大きい収納スペースとして利用することができる。
そして、このような比較的大きな収納スペースを有する収納領域５０に、前記換気装置６０を収納設置したとしても、この換気装置６０によって収納スペースを極端に狭めることはないので、比較的大きい収納スペースおよび換気装置６０の設置スペースの双方を確保できる。
さらに、前記収納領域５０には、前記第１居住領域１０および第２居住領域２０、第３居住領域３０、第４居住領域４０に面して、それぞれ換気孔６１が設けられているので、前記換気装置６０によって建物Ａ内の換気を行う際において効率良く換気を行うことができる。
これによって、収納スペースおよび配管スペースの確保ができるとともに、効率良く換気行うことができ、快適な居住環境を形成することが可能となる。
【図面の簡単な説明】
【００４０】
【図１】本発明の実施形態に係る建物の内部を示す斜視図である。
【図２】収納領域内を示す断面図である。
【図３】本発明の実施形態に係る建物の間取りを示す平面図であり、（ａ）は下階であり、（ｂ）は上階である。
【図４】本発明の実施の形態に係る建物の外観を示す斜視図である。
【符号の説明】
【００４１】
Ａ  建物
１０  第１居住領域
２０  第２居住領域
３０  第３居住領域
４０  第４居住領域
５０  収納領域
【図１】
2008075279.tif 000003
【図２】
2008075279.tif 000004
【図３】
2008075279.tif 000005
【図４】
2008075279.tif 000006